(57)【要約】【課題】      未曾有な大地震の時に倒壊を防ぎ、且つ地震後の火災やライフラインの断絶に対処する為に、頑丈で安全な避難場所ばかりでなく、平時においては、非常時の為の備品の保管、貴重品重要書類などの保管、さらにはあらゆる災害から家族の生命・安全を守ることを目的とする。【解決手段】  その為に小部屋を家の中に作ることにより、身近にあらゆる災害に備えて緊急時に家族の生命・財産・安全性を高め、安心を得られるように多機能性を考慮した。特に火災時には、内部に熱が伝わらないように外壁を作り、空気の確保の為に取り入れ口を複数箇所設け、さらに外部からの空気の取り入れが出来なくなったときの為に内部に酸素ボンベから空気を供給する機械を設置し、火災が収まるまでの空気の確保が出来るようにした。【選択図】      図  １
2006305254.tif 000002
【特許請求の範囲】
【請求項１】
ルームの外壁は、４層構造で１番外側に耐火・耐熱性の高い物質で全体を覆い、２層目が熱伝導率の低い金属で内部に外部の熱が伝わらないだけの厚さを有する金属で全体を覆い、３層目には、緊急避難ルームの骨格を構成し外部からの圧力に対抗し、さらに自重を軽くするためにパイプ等の金属により形成し、その３層と４層の壁の内部でパイプの内外を温度調整が出来るように空気によって循環調節し隅々まで冷却が行き届くようにし、４層目にはその空気循環の圧力に対抗できる厚さを有する板で構成されており、その緊急避難ルームには、入り口、避難用出口、２階部分又は屋根上に出るための避難用出入り口があり、出入り口には完全密閉式で内部から開閉が出来るようにし、フィルターを有した空気の取り入れ口を外部に作り、内部機械を作動させる為の発電機を有し、内部に空気浄化装置があり、酸素ボンベから空気を補充して一定時間内部に滞在できるようにした緊急避難ルームを建物の柱や梁などの主要部分に地震時の揺れを想定したもっとも建物の崩壊を食い止める場所に建物と固定するための器具にて接続してさらに補強材により巨大地震に対処できるようにする。
【請求項２】
請求項１記載の緊急避難ルームに対し、建物が大型さらには数階のマンションの場合その部屋にかかる圧力・加重によっては、壁の３層目と４層目の間に入れる骨格部を構成する金属を、加重に対して十分に耐えうるような太さや量、構造の角材やその他の形状の金属を使う。
【請求項３】
新築や中古住宅に簡単に設置できるように、他所で加工し、設置場所に運び込めるようにレールで緊急避難ルームを建物内部へ滑り込ませるようにレールを設置して、そのレール及び補強用線材を利用し建物の重要な部分との接続等により建物全体を補強することにより建物の梁、柱や屋根が巨大な地震に耐えて建物の倒壊を防ぎ、巨大な地震により倒壊が起きても部屋が家全体を支えて室内に空間を生じさせて完全に倒壊するのを防ぐことを特徴とする請求項１記載の緊急避難ルーム
【請求項４】
新築や中古住宅の地盤を強化するために上記レールを引くときに、緊急避難ルームの下や、建物の反対側の端の土台部分に地震の揺れにより建物が歪みを起こさないようにレールで繋ぎ鉄筋やセメントで土台を作るが、この反対側の土台の補強は、緊急避難ルームが地震の揺れで揺れて建物全体にひずみが広がるのを防ぐためバランスをとり、復元力で元の状態に戻るようにする為のものだが、杭を打ちさらに緊急避難ルームを固定するため、土台と一体化するように多くのボルトで土台と繋げるように基礎部分を作った請求項１記載の緊急避難ルーム
【発明の詳細な説明】
【技術分野】
【０００１】  本発明は、中古住宅や新築住宅において防火機能を有し、火災時に待避の遅れた家人を保護するための耐火緊急避難ルームで、克長期間のライフラインの断絶を想定した備品を収納するスペースを有し、克巨大地震に対し建物を倒壊から守るようにする為、家全体に耐震補強構造を考案した多目的部屋に関するものである。
【背景技術】
【０００２】  従来の技術では、部屋単位で免震構造にしたり、家全体を免震化する技術や、防火壁などや各種の器具や設備を備えて単体の災害に対応する物があったが、各防災に対して単体で機能する為、他の災害に対しては、全く役立たない場合や高額であったり、平時において余り利用価値が無く、何時起こるか判らない災害に備えるには、費用対効果がある物とは言い難い現状がある。
【発明の開示】
【発明が解決しようとする課題】
【０００３】  災害には、火災、震災などによる建物の破壊や、津波や河川の堤防の破壊による浸水によって建物が流失や破壊される時などや、強盗や侵入者などによって家人にも危害が及ぶのを防ぐ為に緊急避難が必要とされる場合などの直接被害だけでなく、その災害後の長期間に及ぶライフラインの断絶や住居の確保に対応できるように必要な備品や機器の備蓄を行うだけのスペースが必要だがその余地がなく、又中古住宅などの既存の住宅設備の場合には新たに作るスペースがないという悩みが多々ある。【０００４】  しかし、ニュースなどで大地震がどこに起こるとか、何時きてもおかしくないなどの話がよくされている今日この頃不安を持つ人が多くなっているが、地震のためだけに家を改装するのも金額が高く、費用対効果を考えて今ひとつ対策を建てることが出来ないで迷っている人が多い。【０００５】  そこで本発明は、このような現状を鑑みてその目的には、平時は小部屋として利用し、克貴重品や重要書類の収納部屋として使え、又入り口を判りにくく隠すことによって機密性を高め、本人の識別装置により家人など特定の者だけが入室できることにより、部外者の進入及び破壊進入を防止するのと同時にコンピューターを利用して各所への緊急通報を内部より迅速に出来るようにする。【０００６】  緊急時、強盗などの家宅侵入が発生した時の為にコンピューターによる防犯システムを構築することにより警察などへの通報及び家人の２階からの避難誘導を可能にし、火災発生時には、外部への退避を第一とするが、逃げ遅れた場合には、小部屋へ退避し、内部へ逃げ込んだ人間の生命を守ることを第一に消防署への通報、火災の室内への侵入の阻止、又室内の空気・温度の適正管理、外部への避難を行うときには、緊急避難口から外部への避難の安全性の確認などを行う、又その為に予防措置として電気、ガス、水道、電話等のライフラインが途切れ無いように引き込み線を火災や地震の影響を受けない場所に設定する。【０００７】  さらに巨大地震の発生時には、第一に建物の倒壊や一階部分の破壊を阻止し、中にいた人の圧死や、その後に起きる可能性のある火災の時に逃げられるように非常口を確保し、克地震による津波や防波堤・河川の堤防の破壊による浸水時の流失の阻止や破壊の危険性を少なくし、又原子力発電所などからの放射能の流出や核による汚染に対処するために、空気取り入れ口のフィルターにより放射能の塵などの内部への侵入阻止、被害の把握、避難方法の調査為の通信設備の確保そして緊急時の非常食や水などの生活物資、ライフラインの断絶を想定した備品（発電機、水浄化装置、料理道具など）など必要物資の保管を行える設備を提供することにある。
【課題を解決するための手段】
【０００８】  そこで本発明は上記目的を達成するために、前記請求項１に記載の本発明は火災などの時に内部に延焼しないような外壁を持ち、住宅の内部の大きさに合わせて密封されたボックスにより建物内部に緊急避難用ルームを作ることで、緊急避難ルームの外壁の構成は、一番外側に耐火・耐熱用煉瓦又はセラミックの厚みのある板により全体を覆い、２層目に熱伝導率の低い金属で内部に外の温度の影響が入らない厚さを持つ金属で覆い、その中に全体の強度を増しさらに内側との間の隙間に空気の循環による冷却装置で温度調整を行えるようにしたパイプ製の金属で骨組みを形成して外部からの圧力に耐えうるようにし、一番内側には、壁内部の圧力に影響を受けないような厚さと強さを持つ板の４重構造を有し、空気取り入れ口は、火災や浸水を考慮して上下など違う場所の数カ所から空気を取り入れ、火災の煙やガスが入らないようにフィルターにより空気を浄化するが、取り入れ口が使えなくなった場合を考慮して、室内に酸素ボンベを設置して外部と取り入れ口を遮断した後に一定時間空気を確保するようにし、炭酸ガスの除去装置を取り付けることにより内部で生命を維持出来ることが出来る。【０００９】  メインの出入り口では、家人の入室を管理するため指紋や暗証番号などで本人確認を行い、自働開閉装置を作動させて開閉を行い、さらに火災時の煙や爆発などの影響を受けないように完全に密閉施錠出来るような強固な耐火用ドアにするが、２階又は屋根上出れる出入り口には、本人確認を行った上手動にて開閉できるようにし、他の横壁の脱出口は、巨大地震により周りがどのようになるか判らない為方向により脱出できる場所の扉を内部より手動にて取り外せるようにしておくが、火災時の熱が伝わらないように、扉の中を空気が循環するように他の壁の内部と同じように加工する。【００１０】  ライフラインの管理は、電話線、電気配線などが火災発生時に直接影響を受けない場所にて外部より直接緊急避難ルームに取り入れられるようにし、非常食や生活必需品ばかりでなく生活維持の為の機器は、緊急避難ルームの天井部分や床下部分そして横壁に作った収納庫等に常時保管して置けるようにする。【００１１】  又、第２の課題解決手段は、緊急避難ルームを建物内に搬入できるように図２で示したように底にコロを付け、レールの上を滑らせて内部に持ち込めるようにするが、外部のレールは、部屋が設置場所に固定された時点で取り外すが、レールの材質は、地震の時に折れ曲がらないような太さがあり、長期間建物の構造の重要部分である柱や梁などに接続して放置していて、水分や湿気、火災などの影響を受けなくて、さらに軽くて丈夫な金属を使用する。【００１２】  レール及び補強材は、柱、梁、筋交い、天井の上部柱材などの補強を目的に、各部署にて地震時に有効に働く場所に接続し、さらに補助金具などを使い補強する。【００１３】  地面の状況により液状化現象が起こる可能性がある場所や地盤の悪い場所には、コンクリートで地盤を補強するだけでなく、鉄筋や杭などでさらに補強する。
【発明を実施するための最良の形態】
【００１４】  以下、本発明の実施の形態を図面に基づき詳細に説明する。【００１５】  図６において緊急避難ルームの出入管理は、指紋照合や暗証番号式により出入許可を受けた者を識別し、入室後は施錠と同時に室内の電灯が点灯し、空調装置が作動するなど一般的な小部屋として機能し、図１のように天井裏や床下の中に非常用品、食料、水などの保管庫ばかりでなく、金庫や重要な物品を保管できるようにする。【００１６】  強盗や押し売りだけでなく家人に危害を加えようとする者の侵入などの不審者の侵入異常があったときには、素早く逃げ込み、身の安全を守れるようにする為に出入り口が従来の鍵式ではなく自働開閉装置により素早く開閉され、さらに外部からの扉の破壊に持ちこたえられるような頑丈で完全密封されたドアでＣ．Ｃ．Ｔ．Ｖやインターフォンなどで２階や外部の状態を確認し緊急連絡ができるようにし、強行に内部に侵入を企てたときには、４重の外壁が破壊から内部の人間を守るような強度を有し、簡単に侵入を許さない構造にする。【００１７】  火災時には、２階に取り残されたり、入り口付近から火災が始まり家から出られなくなったときに各所から逃げ込めるようにして部屋内部は、数千度の外部の熱や煙から内部の人間を守れるように４重の外壁の厚さを整え、さらに熱が内部に伝わらないように壁の継ぎ目を出来る限り無くすることで熱伝導が起こりにくく加工し、外部からの電気が火災により断線して停電にならないように、電気の取り入れ口を外部に面した空気の取り入れ口の類焼がない場所より取り入れるようにするが、停電になったときには、非常用バッテリーにすぐに電源を切り替えられるようにして、さらに発電機が作動して電気の供給が止まらないように考慮し、火災時の煙や炭酸ガスを排出出来るのと同時に完全に密封した内部で呼吸が出来るように外部からの空気の取り入れ口を数カ所に作り、微細な粒子も通さないフィルターにより空気を供給出来るようにする。【００１８】  さらに火災の延焼や大火による煤煙などがつまりフィルターが使ず空気の取り入れが出来なくなっても炭酸ガス除去装置、酸素ボンベなどにより内部で生存出来るように補助機能を稼働させ、又安全性を確認した上で四方の非常用出口より安全な場所へ待避出来るようにするが、非常用出口は内部より開閉出来るようにして外部からの侵入の可能性を無くしておく。【００１９】  図４，図５では、耐火層、耐熱層の内側のパイプなどによる補強及び空冷機能の説明であるが、空気の壁内部への流れは、底辺を除く５面の隅々に行き届くように空気の流れを考えて道筋を作り、最後に空気吸入口より冷却装置に戻るように設計するが、ドアや非常口の部分では、閉鎖した時点で完全に密閉した状態にし、空気が扉内部を循環するようにする。【００２０】  緊急避難ルームを設置するときには、全体のバランスや重心を考えて設定して、一部が外部と接していて寝室などの重要な部屋の側などで建物の出入り口から離れた所を想定し、中古住宅の設置場所の外壁や内部の造作を取り外しそのルームを置く基礎部分と建物の中心を通って建物の反対側の外壁の土台部分をつなぐ形でレールを取り付けるが、その場所も柱と補強用材で繋ぐため、緊急避難ルームと同様に鉄筋コンクリー���や杭などで土台をしっかりと固定してそのレールの上を外部で作った緊急避難ルームをおいて内部に滑り込ますように設置して頑丈に完全に固定するが、密集住宅などで外部からの搬入が困難な建物の場合には、敷地内でレールの上で数個に分割したルームを持ち込みそして組み立てて設置する。【００２１】  巨大地震が来た時に倒壊しやすい中古住宅の耐震性を飛躍的に向上させるために、図２のごとく本来の柱や梁、天井柱材などの補強材として搬入のためのレールのように腐食性の無い鋼材を使い、緊急避難ルームを重しとして建物の耐震性を高めるように設計し、もし建物全体の崩壊があったときにも、部屋自体が障害物になり、一階部分が完全には潰れずに緊急避難ルーム内に待避できなかった人命も助かる余地が生じるようにし、液状化現象に対応するために、鉄筋コンクリートや杭などにより土台の補強を十分にして、液状化現象が起こっても建物全体が倒れたりしないように設計する。【００２２】  津波による堤防の決壊や河川の氾濫による堤防の決壊による浸水が起こった時、一般の日本家屋では、ちょっとした水の勢いで流失が起こるが、この緊急避難ルームを設置により基礎部分がしっかりと土台に固定されているため流失が起こりにくく又平屋の場合には、屋根に抜ける通路を造ることにより、屋根上に避難でき又完全密封型のため中で一定期間水が引くまで生活できるようにする。【００２３】  原子力発電所の破壊や核テロが起こった時には、広範囲な場所が放射能に汚染され逃げ場所も確定出来ない状態に置かれる可能性があり、直接爆心地になる場合には、より強固な設備が必要だが、一般的な放射能汚染を想定した場合には、備えの備品を増やしフィルターをより厳重に微細粒子を除去できるようにして内部で生活ができるようにする。【００２４】  以上、本発明の実施の形態及び実施例を説明したが、本発明の範囲は、これに限定された物でなく、例えば、建物の大きさ、形状、材質等により緊急避難ルームの大きさ、強度、素材などが考慮され、又補強材に関しても実際の建物に使われている柱、張り、梁、筋交いの状況に合わせて補助を無くしたり、又増加させたりし、家人の要望やその建物の立地条件により対応する災害の対応策を増減する物とする。
【産業上の利用可能性】
【００２５】  本発明は、今までにない新しい住居の形状を想像させる物であり、家族が安心して生活できる住空間を提供し、新しい産業を育成出来る物である。
【図面の簡単な説明】
【００２６】
【図１】本発明の斜視図
【図２】本発明を家の中に搬入するときの透視図
【図３】本発明を家の中に設けた断面図
【図４】本発明の壁内部のパイプによる補強の図
【図５】本発明の壁の内部のパイプと金属の鋼材による補強の図
【図６】本発明を部屋の中に設けた透視図
【符号の説明】
【００２７】１．緊急避難部屋
２．出入り口・扉
３．緊急避難脱出口
４．耐火性煉瓦又はセラミック
５．耐熱性金属
６．パイプ製補強材
７．内部パネル
８．換気口
９．酸素ボンベ
１０．空気調整及び壁内部用冷却機
１１．上記の室外機
１２．発電機
１３．バッテリー
１４．床部
１５．天井部
１６．柱材
１７．搬入用レール
１８．柱用補強材
１９．地盤補強用杭
２０．鉄筋コンクリート
２１．保管場所
２２．空気循環用排出口
２３．空気循環用吸入口
２４．冷却器と室外機の接合部
２５．コンピューター
２６．炭酸ガス除去装置
２７．配線用接合部
２８．土台との接合版
２９．窓
３０．鉄筋
３１．搬入用レール切断部分
【図１】
2006305254.tif 000003
【図２】
2006305254.tif 000004
【図３】
2006305254.tif 000005
【図４】
2006305254.tif 000006
【図５】
2006305254.tif 000007
【図６】
2006305254.tif 000008